【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
前記遊技機の背面側に設置される複数の電気部品と、
前記複数の電気部品を電気的に接続する配線と、
回路基板を収納する第１被覆体及び第２被覆体からなる基板ケースと、
前記第１被覆体と前記第２被覆体とを封止状態とする封印シールと、
を備え、
前記封印シールは、
該封印シールの粘着力を低下させるために所定の溶剤が用いられたときに該溶剤が使用された痕跡を残す溶剤使用特定部を有し、
前記基板ケースに貼付されたときに前記配線と重ならない部分に前記溶剤使用特定部が配置され、
該封印シールの粘着力を低下させるために所定の溶剤が用いられたときに発色する溶剤発色部からなり、
前記溶剤発色部は、該溶剤発色部の経時変化により発色する色とは異なる色に発色する
ことを特徴とする遊技機。
【手続補正２】
【補正対象書類名】明細書
【補正対象項目名】００１０
【補正方法】変更
【補正の内容】
【００１０】
前記課題を解決するために、本発明の請求項１に記載の遊技機は、
遊技を行うことが可能な遊技機（例えば、スロットマシン１／パチンコ遊技機１００１）であって、
前記遊技機の背面側（例えば、筐体１ａの内部／パチンコ遊技機１００１の背面）に設置される複数の電気部品（例えば、各種スイッチ、センサ、ソレノイド、モータ、ＬＥＤ等）と、
前記複数の電気部品を電気的に接続する配線（例えば、ケーブル６００ａ〜６００ｃ、６００ｋ／ケーブル１７００）と、
回路基板（例えば、遊技制御基板４０／主基板１０３１）を収納する第１被覆体（例えば、ベース部材２０１／ベース部材１２０１）及び第２被覆体（例えば、カバー部材２０２／カバー部材１２０２）からなる基板ケース（例えば、基板ケース２００／基板ケース１２００）と、
前記第１被覆体と前記第２被覆体とを封止状態（例えば、基板ケースが開封されたらその痕跡が残るように閉鎖した第２封止状態）とする封印シール（例えば、封印シール４００／封印シール１４００）と、
を備え、
前記封印シールは、
該封印シールの粘着力を低下させるために所定の溶剤が用いられたときに該溶剤が使用された痕跡を残す溶剤使用特定部（例えば、所定の剥離液（例えば、溶剤Ａや溶剤Ｂなど）と接触することにより該剥離液に溶解する特殊インクにて印刷形成された第１溶剤使用表示部４５０Ａ〜４５０Ｄ、第２溶剤使用表示部４６０Ａ〜４６０Ｄ／第１溶剤使用表示部１４５０Ａ〜１４５０Ｄ、第２溶剤使用表示部１４６０Ａ〜１４６０Ｄ）を有し、
前記基板ケースに貼付されたときに前記配線と重ならない部分に前記溶剤使用特定部が配置され（例えば、図１４に示すように、封印シール４００は、基板ケース２００に貼付されたときに、遊技制御基板４０の基板側コネクタと配線フックＨＦやリール中継基板１２０等の配線保持部とを結ぶ直線に重ならない位置またはその近傍位置に配置されている／図２４に示すように、封印シール１４００は、基板ケース１２００に貼付されたときに、主基板１０３１の基板側コネクタと配線挿通部１７５０等の配線保持部とを結ぶ直線上に重ならない位置またはその近傍位置に配置されている）、
該封印シールの粘着力を低下させるために所定の溶剤が用いられたときに発色する溶剤発色部（例えば、予め混入された無数のマイクロカプセル４０１ａ，４０１ｂが溶剤Ａ，Ｂに接触することにより溶解して内封されている青色インクが流出することにより青色に発色するシール基材４０１／シール基材１４０１）からなり、
前記溶剤発色部は、該溶剤発色部の経時変化（例えば、経年劣化）により発色する色（例えば、赤色）とは異なる色（例えば、青色）に発色する
ことを特徴としている。
この特徴によれば、溶剤を使用して封印シールの粘着力を低下させようとした場合、該封印シールの溶剤使用特定部に該溶剤が使用された痕跡が残ることで、溶剤を使用して封印シールの粘着力を低下させようとしたことがわかるようになるため、溶剤により剥離した封印シールを再度貼付するといった不正行為を抑制できるとともに、溶剤使用特定部が配線により隠れてしまうことがないので、溶剤使用特定部の視認性が損なわれることが防止される。また、溶剤を使用して封印シールの粘着力を低下させたときに溶剤発色部が発色する色が、経時変化より発色する色とは異なることで、溶剤発色部が溶剤により発色したものか経時変化により発色したものかを判断しやすくなる。
【手続補正３】
【補正対象書類名】明細書
【補正対象項目名】００１１
【補正方法】変更
【補正の内容】
【００１１】
本発明の手段１に記載の遊技機は、請求項１に記載の遊技機であって、
前記第１被覆体（例えば、ベース部材２０１／ベース部材１２０１）に設けられた第１被覆体側封印シール貼付部（例えば、ベース側封印部２２９／ベース側封印部１２２９）と、前記第２被覆体（例えば、カバー部材２０２／カバー部材１２０２）に設けられた第２被覆体側封印シール貼付部（例えば、カバー側封印部２２４／カバー側封印部１２２４）と、を含む封印シール貼付部を備え、
前記封印シールが前記第１被覆体側封印シール貼付部と前記第２被覆体側封印シール貼付部とに跨るように貼付されたときに該第１被覆体側封印シール貼付部と該第２被覆体側封印シール貼付部との境界部（例えば、境界部Ｚ）に位置しない部分に前記溶剤使用特定部が配置されている（例えば、図１５（ａ）に示すように、封印シール４００は、基板ケース２００に貼付されたときに境界部Ｚに掛からない位置に第１溶剤使用表示部４５０Ａ〜４５０Ｄ、第２溶剤使用表示部４６０Ａ〜４６０Ｄが印刷されている。／図３３（ａ）に示すように、封印シール１４００は、基板ケース１２００に貼付されたときに境界部Ｚに掛からない位置に第１溶剤使用表示部１４５０Ａ〜１４５０Ｄ、第２溶剤使用表示部１４６０Ａ〜１４６０Ｄが印刷されている。）
ことを特徴としている。
この特徴によれば、封止状態としたときに溶剤使用特定部が境界部に掛かることがないので、例えば、遊技店において回路基板の検査等のために封印シールを破断して基板ケースを開放したことにより溶剤使用特定部が破断してしまうことで、それ以前に溶剤と接触した痕跡が表れていたことが判りにくくなってしまうことが防止される。
【手続補正４】
【補正対象書類名】明細書
【補正対象項目名】００１２
【補正方法】変更
【補正の内容】
【００１２】
本発明の手段２に記載の遊技機は、請求項１または手段１に記載の遊技機であって、
前記溶剤使用特定部は、前記封印シール（例えば、封印シール４００）が前記基板ケース（例えば、基板ケース２００）に貼付されたときに前記回路基板（例えば、遊技制御基板４０）において制御用マイクロコンピュータ｛例えば、メイン制御部４１（メインＣＰＵ４１ａ、ＲＯＭ４１ｂ、ＲＡＭ４１ｃ、Ｉ／Ｏポート４１ｄ）｝が実装される実装面（例えば、実装面４０ａ）と同方向を向く部分に配置されている（例えば、図１５（ａ）に示すように、封印シール４００は、基板ケース２００に貼付されたときに実装面４０ａと同方向（上方）を向く部分である上部領域Ｒ１に第１溶剤使用表示部４５０Ａが配置されている）
ことを特徴としている。
この特徴によれば、溶剤使用特定部及び制御用マイクロコンピュータの実装面の双方を一緒に視認することができることで、溶剤使用特定部及び制御用マイクロコンピュータに対する不正行為の確認作業を容易に行うことが可能となるため、作業負担を軽減できる。
【手続補正５】
【補正対象書類名】明細書
【補正対象項目名】００１３
【補正方法】変更
【補正の内容】
【００１３】
本発明の手段３に記載の遊技機は、請求項１、手段１、手段２のいずれかに記載の遊技機であって、
前記封印シール（例えば、封印シール４００／封印シール１４００）は、各々を識別可能な識別情報（例えば、シリアル番号や２次元バーコードなど）が表示された識別情報表示部（例えば、第１識別情報表示部４５１／第１識別情報表示部１４５１、第２識別情報表示部４５２／第２識別情報表示部１４５２）を有し、
前記基板ケースに貼付されたときに互いに同方向を向く部分に前記溶剤使用特定部と前記識別情報表示部とが配置されている（例えば、図１５（ａ）に示すように、封印シール４００は、基板ケース２００に貼付されたときに互いに同方向（上方）を向く部分である上部領域Ｒ１に第１溶剤使用表示部４５０Ａと第１識別情報表示部４５１及び第２識別情報表示部４５２とが配置されている。／図３３（ａ）に示すように、封印シール１４００は、基板ケース１２００に貼付されたときに互いに同方向（右側方）を向く部分である右側方領域Ｒ１０に第１溶剤使用表示部１４５０Ａ，１４５０Ｂと第１識別情報表示部１４５１及び第２識別情報表示部１４５２とが配置されている）
ことを特徴としている。
この特徴によれば、溶剤使用特定部及び識別情報表示部の双方を一緒に視認することができることで、溶剤使用特定部及び識別情報表示部の確認作業を容易に行うことが可能となるため、作業負担を軽減できる。
【手続補正６】
【補正対象書類名】明細書
【補正対象項目名】００１６
【補正方法】変更
【補正の内容】
【００１６】
本発明の手段６に記載の遊技機は、請求項１、手段１〜手段５のいずれかに記載の遊技機であって、
前記基板ケース（例えば、基板ケース２００／基板ケース１２００）は、前記封印シール（例えば、封印シール４００／封印シール１４００）が貼付される封印シール貼付部（例えば、ベース側封印部２２９、カバー側封印部２２４／ベース側封印部１２２９、カバー側封印部１２２４）を有し、
前記封印シール貼付部の周囲には、貼付された封印シールの周囲を囲むように周壁部（例えば、位置決め凸条４１１，４２１／位置決め凸条１４１１，１４２１）が形成されている
ことを特徴としている。
この特徴によれば、封印シールを剥離する際に周囲の周壁部が邪魔になって剥離しにくくなるため、溶剤により剥離した封印シールを再度貼付するといった不正行為を抑制できる。
【手続補正７】
【補正対象書類名】明細書
【補正対象項目名】００５８
【補正方法】変更
【補正の内容】
【００５８】
このようにスタートスイッチ７を除く各種電気部品と遊技制御基板４０とを、スロットマシン１の本体（本実施例では、筐体１ａ）所定箇所に取り付けた電源基板１０１及び各中継基板１１０、１２０、８０を経由して配線接続することで、遊技制御基板４０からスロットマシン１の本体所定箇所に個々に配設される複数の電気部品との配線の取りまとめが容易になるとともに、コネクタ接続部が常に中継基板または遊技制御基板４０に設けられることになり、これにより各電気部品それぞれのコネクタ接続部が固定されるため、配線接続作業時においてコネクタ接続部を探したり、接続する配線の種類を間違うこと等が防止される。
【手続補正８】
【補正対象書類名】明細書
【補正対象項目名】００６９
【補正方法】変更
【補正の内容】
【００６９】
また、本実施例では、ゲームの進行に応じて遊技制御基板４０に対して信号を入力する第１の電気部品５、６、７、８、３１、３３Ｌ，３３Ｃ，３３Ｒ、３５及びゲームの進行に応じて遊技制御基板４０から信号が出力される第２の電気部品３２Ｌ，３２Ｃ，３２Ｒ、３４のうち、スタートスイッチ７と遊技制御基板４０との間のコネクタ接続のみコネクタ規制部材６５０を設けてコネクタ同士の接続の解除を規制している。すなわちその信号がなければ遊技を進行させることができない電気部品の一つであるスタートスイッチ７（スタートスイッチ７からの信号が入力されなければゲームを開始することが不可能となる）と遊技制御基板４０との間のコネクタ接続のみコネクタ規制部材６５０を設けてコネクタ同士の接続の解除を規制しており、他の電気部品と遊技制御基板４０との間でコネクタ同士の接続を解除して打ち込み器具のコネクタに差し替えた場合でも、実質的に遊技を自動的に進行させることができなくなるため、最小限の規制で不正行為を防止することが可能となり、これらコネクタ同士の接続を解除するための部品点数を減らすことができる。
【手続補正９】
【補正対象書類名】明細書
【補正対象項目名】００８４
【補正方法】変更
【補正の内容】
【００８４】
そして、サブＣＰＵ９１ａは、その起動時においてＲＡＭ９１ｃの全ての領域に格納されたデータに基づいてＲＡＭパリティを計算し、ＲＡＭパリティが０であることを条件に、ＲＡＭ９１ｃに記憶されているデータに基づいてサブＣＰＵ９１ａの処理状態を電断前の状態に復帰させるが、ＲＡＭパリティが０でない場合（１の場合）には、ＲＡＭ異常と判定し、ＲＡＭ９１ｃを初期化するようになっている。この場合、サブＣＰＵ９１ａと異なり、ＲＡＭ９１ｃが初期化されるのみで演出の実行が不能化されることはない。
【手続補正１０】
【補正対象書類名】明細書
【補正対象項目名】０１２１
【補正方法】変更
【補正の内容】
【０１２１】
（基板ケース）
基板ケース２００は、図６に示すように、回路基板の一例である遊技制御基板４０の裏面（他面）４０ｂ側を覆う第１被覆体としてのベース部材２０１と、遊技制御基板４０の実装面（一面）４０ａ側を覆う第２被覆体としてのカバー部材２０２と、から構成され、遊技制御基板４０を挟持するように組み付けられるものである。尚、遊技制御基板４０の実装面４０ａには、特に詳細な図示はしないが、メインＣＰＵ４１ａ、ＲＯＭ４１ｂ、ＲＡＭ４１ｃ、Ｉ／Ｏポート４１ｄを備えたマイクロコンピュータ（制御用マイクロコンピュータ）からなるメイン制御部４１や、他の基板からのケーブルの一端に設けられたケーブル側コネクタ等が接続される基板側コネクタ６２０ａ〜６２０ｄ等が多数実装されている。
【手続補正１１】
【補正対象書類名】明細書
【補正対象項目名】０１３３
【補正方法】変更
【補正の内容】
【０１３３】
取付封止片２３０、予備用取付封止片２３１、予備用封止片２３２の筒状部は、上面が開口する有底四角筒状に形成され、内部にワンウェイネジ２４０ａ〜２４０ｃを収納可能な大きさを有し、ワンウェイネジ２４０ａ〜２４０ｃの上部を収納可能な大きさに形成されているとともに、底部には、ワンウェイネジ２４０ａ〜２４０ｃの頭部の直径よりも小径の取付孔２３４、２３５が形成されている。取付孔２３４は、封止状態において、ネジ孔２１０の対向位置に配置される。取付孔２３５，２３５は、後述する取付状態において、ネジ穴３１６ａ，３１６ｂの対向位置に配置される。
【手続補正１２】
【補正対象書類名】明細書
【補正対象項目名】０１４０
【補正方法】変更
【補正の内容】
【０１４０】
そして、各係合片２２０が各係合溝２５０の端部に当接するとともに、カバー側溶着部２２３の右端部が規制片（図示略）に当接してスライド移動が規制されると、左側の短辺では、ベース部材２０１の係止片２０３，２０３が挿通穴２２２，２２２内に挿通される。このように、各係合片２２０が各係合溝２５０に係合され、カバー側溶着部２２３の右端部が規制片（図示略）に係止され、係止片２０３，２０３が挿通穴２２２，２２２内に挿通されることによりベース部材２０１にカバー部材２０２が組み付けられ、ベース部材２０１に対するカバー部材２０２の組付位置が決定し、ベース部材２０１とカバー部材２０２とが位置合わせ（合体）されてベース部材２０１の開口が閉鎖された閉鎖状態（係止状態）となり、後述する封止が可能な状態となる（図９及び図１０参照）。
【手続補正１３】
【補正対象書類名】明細書
【補正対象項目名】０１４５
【補正方法】変更
【補正の内容】
【０１４５】
封印シール４００は、図１５（ａ）に示す封印シール４００の正面視において左右幅方向を向く長辺Ｌ１０と上下方向を向く短辺Ｌ２０とを有する略長方形状に形成されており、図１５（ｂ）に示すように、封印シール４００は、封印シール４００を貼付可能とするための粘着剤層４０２と、該粘着剤層４０２が形成されるシール基材４０１と、から構成されており、粘着剤層４０２の表面には剥離紙４０４が貼付されている。この剥離紙４０４は封印シール４００を基板ケース２００に貼り付ける際に剥離される。尚、粘着剤層４０２は、シール基材４０１の全域にわたり設けられている。
【手続補正１４】
【補正対象書類名】明細書
【補正対象項目名】０２２５
【補正方法】変更
【補正の内容】
【０２２５】
底板３１０ａにおける右側の短辺部近傍には、基板ケース２００の取付封止片２３０及び予備用取付封止片２３１に挿通されるワンウェイネジ２４０ａ，２４０ｂが取り付けられるネジ穴３１６ａ，３１６ｂが形成された取付台座３１５が装着される台座装着穴３１７が形成されている。取付台座３１５は、底板３１０ａの裏面側から台座装着穴３１７内に嵌合により装着されるようになっている。装着時においては、図１３（ａ）に示すように、ネジ穴３１６ａ，３１６ｂは底板３１０ａの前面よりも前方に突出した状態で取付封止片２３０及び予備用取付封止片２３１の取付孔２３５，２３５に対向配置されるようになっている。
【手続補正１５】
【補正対象書類名】明細書
【補正対象項目名】０２４０
【補正方法】変更
【補正の内容】
【０２４０】
また、仮止め状態としたときに、カバー部材２０２における取付封止片２３０及び予備用取付封止片２３１が取付台座３１５に対向配置され、取付封止片２３０及び予備用取付封止片２３１の取付孔２３５，２３５が取付台座３１５のネジ穴３１６ａ，３１６ｂに合致する。ここで、図１３（ａ）に示すように、取付封止片２３０内に収容されていたワンウェイネジ２４０ａをドライバーによりネジ穴３１６ａに螺入すると、可動ベース３０２に対して基板ケース２００が離脱不能に取り付けられる。
【手続補正１６】
【補正対象書類名】明細書
【補正対象項目名】０２４１
【補正方法】変更
【補正の内容】
【０２４１】
すなわち、ワンウェイネジ２４０ａは、一度ネジ穴３１６ａに取り付けられると、ドライバー等の工具を操作溝に差し込んでも、ワンウェイネジ２４０ａを逆回転させることができない、つまり二度とネジ穴３１６ａから取り外すことはできない取付部材であるため、基板ケース２００は、該基板ケース２００または可動ベース３０２等の所定部位（例えば取付封止片２３０の切断片２３３等）を切断（破壊）しない限り可動ベース３０２から取り外すことができない取付状態で取り付けられる。
【手続補正１７】
【補正対象書類名】明細書
【補正対象項目名】０２４２
【補正方法】変更
【補正の内容】
【０２４２】
また、遊技制御基板４０の検査等のために基板ケース２００を可動ベース３０２から取り外す場合、取付封止片２３０の切断片２３３を切断する必要があるばかりか、ネジ穴３１６ａにねじ込まれたワンウェイネジ２４０ａ及び基板ケース２００から切断された取付封止片２３０を取付台座３１５から取り外すことができず、可動ベース３０２に保持されて残存するため、当該取付封止片２３０にワンウェイネジ２４０ａを取り付け、同じように可動ベース３０２に取り付けることはできない。すなわち、一度可動ベース３０２に対する基板ケース２００の取付状態を解除した後は、一度取付に使用した取付封止片２３０とは別の予備用取付封止片２３１に予備のワンウェイネジ２４０ｂを取り付け、別のネジ穴３１６ｂに取り付けることになる。
【手続補正１８】
【補正対象書類名】明細書
【補正対象項目名】０２５４
【補正方法】変更
【補正の内容】
【０２５４】
また、本実施例では、基板ケース２００は、図２に示すように、筐体１ａの背板上部に取り付けられている。また、各種ケーブル６００ａ〜６００ｃ、６００ｋが接続される基板側コネクタ６２０ａ〜６２０ｃ等が臨むコネクタ用開口２３６ａ〜２３６ｇは、基板ケース２００の下辺部に沿って配設されている。そして、遊技制御基板４０に接続されるこれらケーブル６００ａ〜６００ｃ、６００ｋのうち、ケーブル６００ａ〜６００ｃは、図１４に示すように、基板ケース２００の下方位置において筐体１ａの左側板内面に設けられた配線フックＨＦによりまとめて配線されている。また、他のケーブル６００ｋは下方に延設され、筐体１ａにおける基板ケース２００よりも下方位置に配設されたリール中継基板１２０等に接続されている。
【手続補正１９】
【補正対象書類名】明細書
【補正対象項目名】０２６６
【補正方法】変更
【補正の内容】
【０２６６】
また、封印シール４００は、回路基板の一例である遊技制御基板４０において制御用マイクロコンピュータ（メインＣＰＵ４１ａ、ＲＯＭ４１ｂ、ＲＡＭ４１ｃ、Ｉ／Ｏポート４１ｄを備えたマイクロコンピュータ）が実装される実装面４０ａと同方向（上方）を向く部分である上部領域Ｒ１に第１溶剤使用表示部４５０Ａ及びシール基材４０１の左方側に配置された第２溶剤使用表示部４６０Ａ〜４６０Ｃが配置されているため、第１溶剤使用表示部４５０Ａ、シール基材４０１の左方側に配置された第２溶剤使用表示部４６０Ａ〜４６０Ｃ及び制御用マイクロコンピュータの実装面４０ａの双方を一緒に視認することができることで（図１４（ａ）及び図２０（ａ）参照）、溶剤使用表示部４５０Ａ及び制御用マイクロコンピュータ（メインＣＰＵ４１ａ、ＲＯＭ４１ｂ、ＲＡＭ４１ｃ、Ｉ／Ｏポート４１ｄを備えたマイクロコンピュータ）に対する不正行為の確認作業を容易に行うことが可能となるため、作業負担を軽減できる。
【手続補正２０】
【補正対象書類名】明細書
【補正対象項目名】０２６７
【補正方法】変更
【補正の内容】
【０２６７】
尚、制御用マイクロコンピュータ（メインＣＰＵ４１ａ、ＲＯＭ４１ｂ、ＲＡＭ４１ｃ、Ｉ／Ｏポート４１ｄを備えたマイクロコンピュータ）に対する不正行為の確認作業とは、例えば、メインＣＰＵ４１ａ、ＲＯＭ４１ｂ、ＲＡＭ４１ｃ、Ｉ／Ｏポート４１ｄに不正な回路基板が接続されていたり、メインＣＰＵ４１ａ、ＲＯＭ４１ｂ等が不正なＣＰＵ、ＲＯＭ等に交換されたりしていないかを確認する作業であるため、これらが搭載される実装面４０ａと溶剤使用表示部４５０Ａとが上方に向けて配置されていれば、基板ケース２００の前面側から双方の状況を一度に確認することが可能となる。
【手続補正２１】
【補正対象書類名】明細書
【補正対象項目名】０２６９
【補正方法】変更
【補正の内容】
【０２６９】
また、本実施例では、封印シール４００は、これら第１溶剤使用表示部４５０Ａ、シール基材４０１の左方側に配置された第２溶剤使用表示部４６０Ａ〜４６０Ｃ、第１識別情報表示部４５１及び第２識別情報表示部４５２とが互いに同方向（上方）を向く部分である上部領域Ｒ１に配置されていることで、制御用マイクロコンピュータ（メインＣＰＵ４１ａ、ＲＯＭ４１ｂ、ＲＡＭ４１ｃ、Ｉ／Ｏポート４１ｄを備えたマイクロコンピュータ）が実装される実装面４０ａと同方向（上方）を向くことになることで、第１溶剤使用表示部４５０Ａ、シール基材４０１の左方側に配置された第２溶剤使用表示部４６０Ａ〜４６０Ｃ、第１識別情報表示部４５１及び第２識別情報表示部４５２の確認作業と一緒に、制御用マイクロコンピュータに対する不正行為の確認作業を容易に行うことが可能となるため、作業負担を軽減できる。
【手続補正２２】
【補正対象書類名】明細書
【補正対象項目名】０２８１
【補正方法】変更
【補正の内容】
【０２８１】
また、本実施例１では、ベース側封印部２２９及びカバー側封印部２２４からなる封印部の周囲には、貼付された封印シール４００の周囲を囲むように周壁部である位置決め凸条４１１，４２１が形成されていることで、封印シール４００を剥離する際に周囲の位置決め凸条４１１，４２１が邪魔になって剥離しにくくなるため、溶剤により剥離した封印シール４００を再度貼付するといった不正行為を抑制できる。
【手続補正２３】
【補正対象書類名】明細書
【補正対象項目名】０２９４
【補正方法】変更
【補正の内容】
【０２９４】
尚、本実施例では、基板ケース２００の被取付部としての取付封止片２３０、予備用取付封止片２３１が取り付けられる可動ベース３０２の取付部としてのネジ穴３１６ａ，３１６ｂを有する取付台座３１５は、可動ベース３０２に対して取り付け、取り外し可能に設けられているため、基板ケース２００を２回取り外した場合でも、取付台座３１５のみを交換すれば、可動ベース３０２を交換せずに使いまわすことが可能であるが、これらネジ穴３１６ａ，３１６ｂは可動ベース３０２に直接形成されていてもよい。
【手続補正２４】
【補正対象書類名】明細書
【補正対象項目名】０３０４
【補正方法】変更
【補正の内容】
【０３０４】
遊技領域１００７の中央付近には、液晶表示装置（ＬＣＤ）で構成された演出表示装置１００９が設けられている。演出表示装置１００９では、第１特別図柄または第２特別図柄の可変表示に同期した演出図柄（飾り図柄）の可変表示（変動）が行われる。よって、演出表示装置１００９は、識別情報としての演出図柄（飾り図柄）の可変表示を行う可変表示装置に相当する。演出表示装置１００９は、演出制御基板１０８０に搭載されている演出制御用マイクロコンピュータによって制御される。演出制御用マイクロコンピュータが、第１特別図柄表示器１００８ａで第１特別図柄の可変表示が実行されているときに、その可変表示に伴って演出表示装置１００９で演出表示を実行させ、第２特別図柄表示器１００８ｂで第２特別図柄の可変表示が実行されているときに、その可変表示に伴って演出表示装置１００９で演出表示を実行させるので、遊技の進行状況を把握しやすくすることができる。
【手続補正２５】
【補正対象書類名】明細書
【補正対象項目名】０３４２
【補正方法】変更
【補正の内容】
【０３４２】
演出制御用ＣＰＵ１１２０は、受信した演出制御コマンドに従ってキャラクタＲＯＭ（図示略）から必要なデータを読み出す。キャラクタＲＯＭは、演出表示装置１００９に表示されるキャラクタ画像データ、具体的には、人物、文字、図形または記号等（演出図柄を含む）をあらかじめ格納しておくためのものである。演出制御用ＣＰＵは、キャラクタＲＯＭから読み出したデータをＶＤＰ（図示略）に出力する。ＶＤＰは、演出制御用ＣＰＵ１１２０から入力されたデータに基づいて表示制御を実行する。
【手続補正２６】
【補正対象書類名】明細書
【補正対象項目名】０３４５
【補正方法】変更
【補正の内容】
【０３４５】
さらに、演出制御用ＣＰＵ１１２０は、出力ポート（図示略）を介してランプドライバ基板１０３５に対してＬＥＤを駆動する信号を出力する。また、演出制御用ＣＰＵは、出力ポート（図示略）を介して音声制御基板１０７０に対して音番号データを出力する。
【手続補正２７】
【補正対象書類名】明細書
【補正対象項目名】０３７０
【補正方法】変更
【補正の内容】
【０３７０】
このようにシール保護カバー１２２８は、カバー部材１２０２の前面側から後面側に向けて押し込むことでカバー部材１２０２に係止することができるようになっている。そして係止された装着状態において、第１被覆片１６２０及び第２被覆片１６２１の内面周縁が位置決め凸条１４１１，１４２１及び位置決め角部１４１２，１４２２それぞれの当接規制面１４１３，１４２３に当接することで、第１被覆片１６２０及び第２被覆片１６２１の内面側辺部と封印シール１４００の表面１４００ａとの対向面が互いに離間配置されて非接触状態に維持される。よって、シール保護カバー１２２８を当接規制面１４１３，１４２３に当接した状態で前後にスライドさせて封印部１２２４，１２２９に対して着脱する際においても、封印シール１４００に接触することがないとともに、装着した状態において、シール保護カバー１２２８に何らかの外力が付与されても、封印シール１４００に直接伝わることがないので、封印シール１４００の破損が防止される。
【手続補正２８】
【補正対象書類名】明細書
【補正対象項目名】０３７８
【補正方法】変更
【補正の内容】
【０３７８】
また、封印シール１４００は、該封印シール１４００の粘着力を低下させるために所定の溶剤（例えば、溶剤Ａや溶剤Ｂなど）が用いられたときに該溶剤が使用された痕跡を示す第１溶剤使用表示部１４５０Ａ〜１４５０Ｄや第２溶剤使用表示部１４６０Ａ〜１４６０Ｄを有することで、溶剤を使用して封印シール１４００の粘着力を低下させようとした場合、該封印シール１４００の第１溶剤使用表示部１４５０Ａ〜１４５０Ｄや第２溶剤使用表示部１４６０Ａ〜１４６０Ｄに該溶剤が使用された痕跡（例えば、第１溶剤使用表示部１４５０Ａ〜１４５０Ｄや第２溶剤使用表示部１４６０Ａ〜１４６０Ｄが薄くなる）が残ることで、溶剤を使用して封印シール１４００の粘着力を低下させようとしたことがわかるようになるため、例えば、第３者が溶剤により封印シール１４００を剥離して基板ケース１２００を開封した後、不正な主基板１０３１を収納した基板ケース１２００に、剥離した封印シール１４００を再度貼付されても、基板ケース１２００が開封されたことを容易に判別することが可能となる。
【手続補正２９】
【補正対象書類名】明細書
【補正対象項目名】０３９１
【補正方法】変更
【補正の内容】
【０３９１】
また、図２４に示すように、本実施例２では、基板ケース１２００は、パチンコ遊技機１００１の背面略中央位置に取り付けられている。また、各種ケーブル１７００が接続される基板側コネクタ（図示略）が臨むコネクタ用開口１２３６は、基板ケース１２００の上辺部に沿って配設されている。そして、主基板１０３１に接続されるこれらケーブル１７００は、例えば右側方の配線挿通部１７５０にまとめて挿通されている。
【手続補正３０】
【補正対象書類名】明細書
【補正対象項目名】０３９７
【補正方法】変更
【補正の内容】
【０３９７】
また、本実施例２では、ベース側封印部１２２９及びカバー側封印部１２２４からなる封印部の周囲には、貼付された封印シール１４００の周囲を囲むように周壁部である位置決め凸条１４１１，１４２１が形成されていることで、封印シール４００を剥離する際に周囲の位置決め凸条１４１１，１４２１が邪魔になって剥離しにくくなるため、溶剤により剥離した封印シール４００を再度貼付するといった不正行為を抑制できる。